(57)【要約】【課題】外装袋から内層カードを所定ストロークだけ直線的に引き出す操作のみによって表示されている絵が入れ替り、かつ入れ替る際の変化を連続的にすべて見ることができるようにすることを課題とする。【解決手段】２枚の内層カード１２１，１２２と外装袋２との組み合わせからなり、外装袋の一面を構成する外層カード１１，１２と内層カードにはその幅方向に長い所要数の切抜き片７，８，１３，１４を形成して内層、外層の各カードの切抜き片が重なり合うよう各切抜き片を切抜き窓から差し込んで切抜き窓の幅分だけ外層カードに対し内層カードを引き出し自在に形成し、内層、外層カードの切抜き片にそれぞれ異なる絵、文字等を表示し、外装袋に対し内層カードを切抜き片の幅分のストロークＳにわたり引き出し操作することにより内層カードの表示と外層カードの表示とが入れ替るようにしたことにある。【選択図】図６
0003135436.tif 000002
【実用新案登録請求の範囲】
【請求項１】
２枚の内層カードと外層袋との組み合わせからなり、外層袋の一面を構成する外層カードと前記内層カードにはその幅方向に長い所要数の矩形状の切抜き片を形成して内層、外層の各カードの切抜き片が重なり合うように各切抜き片を切抜き窓から差し込んで切抜き窓の幅分だけ外層カードに対し内層カードを引き出し自在に形成し、内層、外層カードの切抜き片にそれぞれ異なる絵、文字等を表示し、外層袋に対し内層カードを切抜き片の幅分のストロークにわたり引き出し操作することにより内層カードの表示と外層カードの表示とが入れ替るようにしたことを特徴とする動画カード。
【請求項２】
切抜きにより幅方向に所要数の切抜き片が形成された第１の外層カードを一面とした角袋状の外装袋と、この外装袋の第１の外層カードの切抜き片を打抜いた切抜き窓に差し込まれ第１の外層カードの切抜き片により１つ少ない数の切抜き片が形成された第２の外層カードと、前記第１の外層カードの切抜き片と同数の切抜き片が第１の外層カードのとは反対向きに形成された第１の内層カードと、この内層カードの切抜き片より一つ少ない数の切抜き片が形成されこの切抜き片を第１の内層カードの切抜き片を切抜いた切抜き窓に差し込まれて糊付けにより第１内層カードと一体とされた第２の内層カードとを有し、この第１、第２の内層カードを外装袋内に挿入してその切抜き片を第１の外層カードの切抜き窓に差し込んでその切抜き片の幅分のストロークにわたり第１、第２の内層カードを引き出し自在とされ、第１の外層カードの切抜き窓に現れる切抜き片に一種の表示を、内層カードを引き出したとき第１の外層カードの外面に現れる内層カードの切抜き片に他種の表示を施したことを特徴とする動画カード。
【請求項３】
角袋状に形成される外装袋の一側辺を山形状に突出する山形突部に形成するとともにその頂点位置に懸吊用紐孔を穿設して絵馬形態とし、この山形突部の底辺相当位置に少なくとも一つの切起しを形成し、この切起しに内層カードの一側辺をそわせて引き出し時のガイドとされている請求項１または２記載の動画カード。
【請求項４】
角袋状に形成される外装袋を角封筒状に形成し、一端に封止片が連設された内層カードを外装袋に挿入して両カードの切抜き片と切抜き窓とを組み合わせ、各カードにそれぞれ所要の絵、その他の表示を施し、外装袋内にメッセージカード等を封入することができるようにされている請求項１または２記載の動画カード。
【請求項５】
前記切抜き片の両端は先細となる方向に斜めに削落されている請求項１〜４のいずれか１項記載の動画カード。
【請求項６】
前記外装袋および内層カードの一方にリフォーム前の家の絵または新築途上の状態を、他方にリフォーム後の家の絵または完成後の家の絵が表示されている請求項１または２記載の動画カード。
【請求項７】
前記外装袋および内層カードに鳥や蝶などのはばたいている２枚の絵柄を表示し、内層カードを迅速に出し入れすることによりはばたいて見えるようにされている請求項１または２記載の動画カード。
【請求項８】
表示される絵柄がスポーツ選手の動きを表わしたスポーツグッズとされている請求項１または２記載の動画カード。
【請求項９】
前記スポーツグッズとして、前記外装袋および内層カードの一方に野球のピッチャーの投球モーションの絵柄が、他方にバッターのスイングする姿の絵柄が表示されている請求項８記載の動画カード。
【考案の詳細な説明】
【技術分野】
【０００１】
本考案は動画カードに係り、特に各種メッセージカード、ポストカード、絵馬など、広範囲の適用を可能とする動画カードに関する。
【背景技術】
【０００２】
従来から、主として子供用の玩具や騙し絵的な遊具として、厚紙等の用紙に矩形状に複数の切抜きを施して切抜き片を形成した複数枚のシートを設け、これらシートの各切抜き片を切抜き跡の切抜き窓から差し込んで重ね合わせ、これらシートのうち固定シートの表面を覆う表紙の基部に可動シートの端部を継ぎ片により継ぎ、この表紙を開けると継ぎ片が引かれて可動シートが引き出され、各シートの切抜き片に描かれた絵や文字が入れ替って表示されるようにされた可動絵画が知られている（特許文献１、２、３参照）。
【０００３】
しかるに上記特許文献に記載の従来品は、表紙をめくって開ける操作を行うことにより可動シートが移動して別の絵に替る構造となっており、表紙を開けて行く過程で絵が替る動画的効果により楽しむものであるから、表紙が閉じられているときは絵が見えず、したがって表紙を開いて行く途中段階の変化のすべてを見ることが難しく、そのため使用目的が限られてしまうという難点があった。
【特許文献１】特公昭５１−４０４８８号公報
【特許文献２】実公昭５１−１７９９５号公報
【特許文献３】実公昭５５−６６３８号公報
【考案の開示】
【考案が解決しようとする課題】
【０００４】
本考案は、２様の絵や文字を明確に切替えて表現することができ、かつ表紙の開閉操作を廃し、可動カードの直線的な引き出し操作によって絵や文字の切替え状況のすべてを見せることができるようにし、これにより偏平なカード形態に構成し得てクリスマスカードやお祝いのメッセージカード、一般のポストカード、絵馬などとして広範囲の使用目的に対応することができる動画カードを提供することを課題としてなされたものである。
【課題を解決するための手段】
【０００５】
上記課題を解決する手段として本考案は、２枚の内層カードと外装袋との組み合わせからなり、外装袋の一面を構成する外層カードと前記内層カードにはその幅方向に長い所要数の矩形状の切抜き片を形成して内層、外層の各カードの切抜き片が重なり合うように各切抜き片を切抜き窓から差し込んで切抜き窓の幅分だけ外層カードに対し内層カードを引き出し自在に形成し、内層、外層カードの切抜き片にそれぞれ異なる絵、文字等を表示し、外装袋に対し内層カードを切抜き片の幅分のストロークにわたり引き出し操作することにより内層カードの表示と外層カードの表示とが入れ替るようにしたことにある。
【０００６】
角袋状に形成される外装袋の一側辺を山形状に突出する山形突部を形成するとともにその頂点位置に懸吊用紐孔を穿設して絵馬形態とし、この山形突部の底辺相当位置に少なくとも一つの切起しを形成し、この切起しに内層カードの一側辺をそわせて引き出し時のガイドとする絵馬とすることができる。
【０００７】
また角袋状に形成される外装袋を角封筒状に形成し、一端に封止片が連設された内層カードを外装袋に挿入して各切抜き片と切抜き窓とを組み合わせ、各カードにメッセージやそれに因む絵、その他の表示を施し、開封後内層カードを引き出すことにより表示内容が変換して現出するようにするメール用のカード、プレゼント品への添付用カードなどとして使用するカードとすることができる。
【０００８】
前記切抜き片の両端は先細となる方向に斜めに削落する台形状とすることが内層カードの引き出し操作の円滑性、組み立て時の容易性の点で好ましい。
【考案の効果】
【０００９】
本考案によれば、外装袋内から内層カードの端部をつまんで直線的に引き出すようにしたので、内層カードを引き出す途上で外層カードの表示が内層カードの表示に入れ替る様を連続的に見せることができ、それだけ興趣を誘うことができる。
【００１０】
また外装袋から内層カードをつまんで直線的に引き出す構成としたので、全体を偏平状で薄く構成することができ、ポストカードや観光地での絵はがき、メッセージ用添付カード、商品説明用、附録品、その他広範囲の使用に供することができる。
【００１１】
このほか表示内容としては、花のつぼみと開花など、経時によって変化する絵をはじめ、動作を伴うもの、例えば競馬の馬を画き、内層カードを繰り返し早く抜き差しすることにより馬が走っているように見せることができる。さらにお正月のお年玉用、ゲームなどにも適用することができる。
【考案を実施するための最良の形態】
【００１２】
図１（Ａ）は第１外層カード１１を含む外装袋２の展開図を、（Ｂ）は第２外層カード１２を示すもので、外装袋２は前記第１外層カード１１の一側辺に背面を構成する面板３が、他側辺に糊代４が連設され、一端には低部を構成する糊代５が連設されており、第１外層カード１１、面板３、第２外層カード１２の他端には手指挿入用の切欠６，６が形成されている。
【００１３】
前記外装袋２の第１外層カード１１には５個の切抜き片７，７…が該カード１１の幅方向に長く打抜いて形成され、第２外層カード１２には同じ構成の４個の切抜き片８，８…が打抜いて形成され、他の一つはスリット８ａとされている。
【００１４】
前記第２外層カード１２の切抜き片８，８…は第１外層カード１１の切抜き窓９，９…に図２（Ｂ）に示すように相互に差し込んで第１外層カード１１と糊面１１により接着して一体化されている。この接着には糊着によるほか両面テープ等によってもよい。
【００１５】
前記各切抜き片７，８の端部は斜めに削落されて切抜き片が略台形状にされている。
【００１６】
図３（Ａ）、（Ｂ）は第１、第２内層カード１２１，１２２を示すもので、第１内層カード１２１は前記外層カード１１，１２とは反対方向を向く５個の切抜き片１３，１３…が打抜いて形成され、第２内層カード１２２はそれより一つ少ない４個の切抜き片１４，１４…が打抜いて形成され、前記第１、第２内層カード１２１，１２２の切抜き片１３，１４は図４（Ｂ）に示すように切抜き窓１５，１６に相互に差し込んで図４（Ａ）、（Ｃ）のように組み合わされて第１、第２内層カード１２１，１２２は糊面１７により接着され一体化されている。
【００１７】
図５は外装袋２に内層カード１２１，１２２を挿入した状態を示し、第１、第２外層カード１１，１２と内層カード１２１との切抜き片７，８，１３，１４と切抜き窓９，１０，１５，１６とを図５（Ｂ）のように相互に差し込んで組み立て、図５（Ｄ）のように内層カード１２１，１２２を切抜き片７，１３の幅相当のストロークＳだけ引き出せるようになっている。
【００１８】
したがって図６（Ａ）のように第１外層カード１１の表面と第２外層カード１２の切抜き片７，８…の表面とにわたってリフォーム前の家の絵１９を印刷し、図６（Ｂ）のように内層カード１２１，１２２を引き出したとき外面に現れる切抜き片の表面にわたってリフォーム後の家の絵２０を印刷しておけば、内層カード１２１，１２２を押し込んだ状態（図６（Ａ））から内層カード１２１，１２２をストロークＳにわたり直線的に引き出したとき前の絵１９とは異なる絵２０が現れることになる。
【００１９】
いずれにしても、内層カード１２１，１２２を所定のストロークＳだけ直線的に引き出す操作によって絵１９，２０が入れ替ることになり、その入れ替りの状況をすべて観察することができ、興味を増大させることができる。
【００２０】
図７〜図９は本考案を絵馬とした場合の実施形態を示すもので、外装袋２の第１外層カード１１の一側辺と、面板３の一側辺にそれぞれ山形突部２１，２１が一体に連設され、一方の山形突部２１の外縁には糊代２２，２２が連設されていて、両山形突部２１，２１を合体して糊代２２で接着することにより図９の絵馬形態となる。山形突部２１，２１の頂点位置には絵馬として吊すための紐を通す懸吊用紐孔２３，２３が穿設されている。
【００２１】
一方、前記面板３側の山形突部２１の底辺相当位置から面板３にかけて２つの切起し２４，２４が形成されており、この外装袋２内に内層カード１２１，１２２を挿入した際に図８（Ｃ）に示すようにその一側辺が前記切起し２４，２４によりガイドされて円滑にスライドするように構成されている。
【００２２】
外装袋２の外層カード１１，１２、内層カード１２１，１２２の構成は前述の実施形態と同じであるからその説明は省略する。
【００２３】
図１０〜図１３は封筒としての機能を有し、お祝いのメッセージカード２５やレターを封入してプレゼントや郵便用として使用するようにした場合の実施形態を示すもので、その外装袋２が角封筒状に形成されている。
【００２４】
外装袋２は、図１０に示すように、第１外層カード１１に第２外層カード１２を組み合わせ、その開放端２ａは凹曲するアール状に狭られている。
【００２５】
内層カード１２１，１２２は、図１１に示すように、前記外装袋２内に挿入し得る横幅と一部が外装袋２の開放端２ａから若干突出する長さの封止片２６を有する面板３の一側に連設され、この内層カード１２１，１２２と前記外装袋２の外層カード１１，１２とは前記実施形態と同じ構成とされて組み合わされる（図１２）。
【００２６】
次いで糊代２７，２７により封筒状に構成すれば、図１３に示すように角筒形となり、内部にメッセージカード２５等を挿入して封止片２６を閉じて封着し、通常の郵便物としての郵送、プレゼント品として使用することができる。またおめでたい絵を表示すればお年玉袋やお祝い袋とすることができる。
【００２７】
受けとった人は、封止片２６を開け、内層カード１２１の面板３をストロークＳだけ引き出すことができ、これに伴って外層カードの絵（文字）２８と内層カードの絵２９が入れ替ると同時にメッセージカード２５類を取出すことができる。
【００２８】
なお外層カード、内層カードに形成される切抜き片７，８，１３，１４の数は、該カードの大きさや種類に応じ適宜増減することは任意である。また絵１９，２０や文字２７に関しては、オフセット印刷、シルク印刷、ホットスタンプ、インクジェット等適宜な印刷方法により印刷することができる。
【００２９】
外装袋（第１外層カード１１、第２外層カード１２）および内層カード１２１、１２２の一方にリフォーム前の家や室内の絵を、他方にリフォーム後の家や屋内の絵を表示すれば、リフォームによる変化の様子をユーザーに見せて説明する資料として使用することができる。このほか一方に新築途上の状態を、他方に完成後の状態を示す絵柄を表示することができる。リフォーム前の家の絵をリフォーム後の家の絵に切り替えて提示することにより、リフォーム受注の販売促進を図ることができる。また、新築途上の家の絵を提示することにより住宅建築の工法の理解を深めてもらうことができるとともに、完成後の家の絵を提示することにより新築家の魅力性を宣伝することができ新築受注の販売促進を図ることができる。
【００３０】
このほか外装袋および内層カードに鳥や蝶、その他羽根のある動物、昆虫等のはばたいている２枚の絵を表示し、内層カードを早く出し入れすることによりはばたいて見えるようにすれば、動画的効果を存分に発揮させることができる。
【００３１】
さらにスポーツグッズとして、外装袋および内層カードの一方に野球のピッチャーの投球モーションの絵柄を、他方にバッターのスイングする姿の絵柄、バスケットボールのシュートの図柄、サッカー選手の動作等を表示して選手の動きを見せることができ、これを各選手毎に作成すれば、自分のひいきの選手の画かれているカードを購入して楽しむことができる。
【図面の簡単な説明】
【００３２】
【図１】外装袋の一実施形態を示し、（Ａ）は第１外層カードの展開平面図、（Ｂ）は第２外層カードの平面図。
【図２】図１の第１外層カードと第２外層カードとを組み合わせた状態を示し、（Ａ）は平面図、（Ｂ）は（Ａ）のＡ−Ａ断面図、（Ｃ）は裏面図。
【図３】内層カードを示し、（Ａ）は第１内層カードの平面図、（Ｂ）は第２内層カードの平面図。
【図４】図３の第１内層カードと第２内層カードとを組み合わせた状態を示し、（Ａ）は平面図、（Ｂ）は（Ａ）のＢ−Ｂ断面図、（Ｃ）は裏面図。
【図５】外装袋の外層カードと内層カードとを組み合わせた状態を示し、（Ａ）は平面図、（Ｂ）は（Ａ）のＣ−Ｃ断面図、（Ｃ）は内層カードを引き出した状態の平面図、（Ｄ）は（Ｃ）のＤ−Ｄ断面図。
【図６】表示する絵の一例を示し、（Ａ）は内層カードが格納されているとき、（Ｂ）は内層カードをストロークＳにわたり引き出したときを示す平面図。
【図７】本考案を絵馬形態とした場合を示す外装袋の展開平面図。
【図８】同、組み立てた状態を示し、（Ａ）は正面図、（Ｂ）は背面図、（Ｃ）は（Ｂ）のＥ−Ｅ断面図。
【図９】同、表示内容例を示し、（Ａ）は内層カードが格納されているとき、（Ｂ）は内層カードを引き出したときの正面図。
【図１０】本考案を封筒構造とした場合の外装袋の展開平面図。
【図１１】同、内層カードの展開平面図。
【図１２】外装袋と内層カードとを組み合わせた状態を示す展開平面図。
【図１３】同、表示する表示内容例を示し、（Ａ）は内層カードの格納時、（Ｂ）は開封してメッセージカードを引き出した状態の平面図。
【符号の説明】
【００３３】
１１  第１外層カード
１２  第２外層カード
２  外装袋
３  面板
７，８，１３，１４  切抜き片
９，１０，１５，１６  切抜き窓
１２１  第１内層カード
１２２  第２内層カード
２１  山形突部
２３  懸吊用紐孔
２４  切起し
２５  メッセージカード
２６  封止片
【図１】
0003135436.tif 000003
【図２】
0003135436.tif 000004
【図３】
0003135436.tif 000005
【図４】
0003135436.tif 000006
【図５】
0003135436.tif 000007
【図６】
0003135436.tif 000008
【図７】
0003135436.tif 000009
【図８】
0003135436.tif 000010
【図９】
0003135436.tif 000011
【図１０】
0003135436.tif 000012
【図１１】
0003135436.tif 000013
【図１２】
0003135436.tif 000014
【図１３】
0003135436.tif 000015